(57)【要約】【課題】  被要求者が特定のメンバとの作業を実施する際に、所望する割り込み調整の条件に適合する場所その他の状況を確保する。【解決手段】  過去の履歴を利用して妥当性の高い初期値を推定し、ユーザが初期値を修正する手間が少なくなるように、割り込み要求に対する受付条件を設定できるようにした。さらに、複数の利用者を対象に、利用者の期待する割込条件あるいは近似条件に基づいて会議場所などを検索するようにした。この場合、それらの場所へ訪問した後に、その場所の条件設定を確認し、場合によっては再設定するなどといった、利用者の処理を省略することができる。【選択図】  図３０
2006085320.tif 000002
【特許請求の範囲】
【請求項１】
要求者が所望する被要求者への作業の割り込みを調整する情報処理システムであって、
被要求者となる可能性のある各利用者から、作業又は活動を行なう場所毎の割り込みを受け付ける受付条件を取得する受付条件取得手段と、
前記受付条件取得手段が取得した受付条件を蓄積する情報蓄積手段と、
利用者が作業又は活動を行なう場所を検索するために所望の受付条件を入力する検索条件入力手段と、
前記検索条件入力手段を介して入力された受付条件を検索キーにして、該当する場所を前記情報蓄積手段に蓄積されている受付条件情報から検索する場所検索手段と、
前記場所検索手段による検索結果を利用者に提示する場所提示手段と、
を具備することを特徴とする情報処理システム。
【請求項２】
要求者からの割込要求を要求条件として取得する要求条件取得手段と、
被要求者となる可能性のある各利用者の状況を検出する状況検出手段と、
要求者が作業の割り込みを行なったときに、割り込み要求された要求条件と被要求者の受付条件と状況に応じて割り込みに利用するサービスを選択するサービス選択手段と、
前記サービス選択手段が選択したサービスを実行するサービス実行手段と、
をさらに備えることを特徴とする請求項１に記載の情報処理システム。
【請求項３】
被要求者に対する割り込みを許可する複数の割込み許可レベルが定義されており、
受付条件では、各利用者について作業又は活動を行なう場所毎に割り込み許可レベルが設定される、
ことを特徴とする請求項１に記載の情報処理システム。
【請求項４】
各利用者の受付条件の利用履歴を集計する利用履歴集計手段をさらに備える、
ことを特徴とする請求項３に記載の情報処理システム。
【請求項５】
前記利用履歴集計手段は、利用者の場所の変化したことに応じて、利用履歴を更新する、
ことを特徴とする請求項４に記載の情報処理システム。
【請求項６】
前記利用履歴集計手段は、利用者が受付条件を入力又は更新したことに応じて、利用履歴を更新する、
ことを特徴とする請求項４に記載の情報処理システム。
【請求項７】
前記受付条件取得手段は、前記利用履歴集計手段により集計された履歴情報に基づいて、各利用者の受付条件情報における場所毎の受付条件の初期値を設定する、
ことを特徴とする請求項４に記載の情報処理システム。
【請求項８】
前記受付条件取得手段は、利用者の履歴情報の中で最も高い頻度で設定された割込み許可レベルを受付条件における初期値として設定する、
ことを特徴とする請求項７に記載の情報処理システム。
【請求項９】
前記受付条件取得手段は、利用者の履歴情報を利用者が作業又は活動を行なう場所毎に層別し、各場所で最も高い頻度で設定された割込み許可レベルを該場所における受付条件の初期値として設定する、
ことを特徴とする請求項７に記載の情報処理システム。
【請求項１０】
前記受付条件取得手段は、利用者の履歴情報を作業若しくは活動の場所及び同席するメンバ毎に層別し、各場所及び同席するメンバに対し最も高い頻度で設定された割込み許可レベルを該場所で該同席メンバと作業若しくは活動するときの受付条件の初期値として設定する、
ことを特徴とする請求項７に記載の情報処理システム。
【請求項１１】
前記受付条件取得手段は、利用者の履歴情報を作業若しくは活動の場所及び同席するメンバ毎に層別した結果、利用履歴が検出されなかった同席メンバを含む場所については、その他の同席メンバについての履歴情報が類似する他の場所で該同席メンバに設定された初期値で補完する、
ことを特徴とする請求項１０に記載の情報処理システム。
【請求項１２】
前記受付条件取得手段は、利用者の履歴情報を作業若しくは活動の場所及び同席するメンバ毎に層別した結果、利用履歴が検出されなかった場所を含む同席メンバについては、その他の場所についての履歴情報が類似する他の同席メンバで該場所に設定された初期値で補完する、
ことを特徴とする請求項１０に記載の情報処理システム。
【請求項１３】
前記検索条件入力手段は、利用者が作業又は活動を行なう場所を検索するための検索条件として、同席するメンバと所望する割込み許可レベルを利用者から入力し、
前記場所検索手段は、前記検索条件入力手段を介して入力された同席メンバ及び割込み許可レベルを検索キーにして該当する場所を検索し、
前記場所提示手段は、前記場所検索手段により探し出された場所を該場所に割り当てられた割込み許可レベルとともに提示する、
ことを特徴とする請求項１０に記載の情報処理システム。
【請求項１４】
場所検索を要求する利用者についての利用履歴がなく、場所情報を抽出できない場合には、前記場所検索手段は、他の利用者の利用履歴から得られた受付条件情報を利用して場所情報を抽出する、
ことを特徴とする請求項１０に記載の情報処理システム。
【請求項１５】
多段階の割込み許可レベルが定義されており、
前記検索条件入力手段は、複数の段階にまたがって範囲指定された割込み許可レベルを検索条件として入力し、
前記場所検索手段は、該範囲指定された割込み許可レベルを検索キーにして該当する場所を検索する、
ことを特徴とする請求項３に記載の情報処理システム。
【請求項１６】
要求者が所望する被要求者への作業の割り込みを調整する情報処理方法であって、
被要求者となる可能性のある各利用者から、作業又は活動を行なう場所毎の割り込みを受け付ける受付条件を取得する受付条件取得ステップと、
前記受付条件取得手段が取得した受付条件を蓄積する情報蓄積ステップと、
利用者が作業又は活動を行なう場所を検索するために所望の受付条件を入力する検索条件入力ステップと、
前記検索条件入力ステップにおいて入力された受付条件を検索キーにして、該当する場所を前記情報蓄積ステップにより蓄積された受付条件情報から検索する場所検索ステップと、
前記場所検索ステップにおける検索結果を利用者に提示する場所提示ステップと、
を具備することを特徴とする情報処理方法。
【請求項１７】
要求者からの割込要求を要求条件として取得する要求条件取得ステップと、
被要求者となる可能性のある各利用者の状況を検出する状況検出ステップと、
要求者が作業の割り込みを行なったときに、割り込み要求された要求条件と被要求者の受付条件と状況に応じて割り込みに利用するサービスを選択するサービス選択ステップと、
前記サービス選択ステップにおいて選択したサービスを実行するサービス実行ステップと、
をさらに備えることを特徴とする請求項１６に記載の情報処理方法。
【請求項１８】
被要求者に対する割り込みを許可する複数の割込み許可レベルが定義されており、
受付条件では、各利用者について作業又は活動を行なう場所毎に割り込み許可レベルが設定される、
ことを特徴とする請求項１６に記載の情報処理方法。
【請求項１９】
各利用者の受付条件の利用履歴を集計する利用履歴集計ステップをさらに備える、
ことを特徴とする請求項１８に記載の情報処理方法。
【請求項２０】
前記利用履歴集計ステップでは、利用者の場所の変化したことに応じて、利用履歴を更新する、
ことを特徴とする請求項１９に記載の情報処理方法。
【請求項２１】
前記利用履歴集計ステップでは、利用者が受付条件を入力又は更新したことに応じて、利用履歴を更新する、
ことを特徴とする請求項１９に記載の情報処理方法。
【請求項２２】
前記受付条件取得ステップでは、前記利用履歴集計ステップにおいて集計された履歴情報に基づいて、各利用者の受付条件情報における場所毎の受付条件の初期値を設定する、
ことを特徴とする請求項１９に記載の情報処理方法。
【請求項２３】
前記受付条件取得ステップでは、利用者の履歴情報の中で最も高い頻度で設定された割込み許可レベルを受付条件における初期値として設定する、
ことを特徴とする請求項２２に記載の情報処理方法。
【請求項２４】
前記受付条件取得ステップでは、利用者の履歴情報を利用者が作業又は活動を行なう場所毎に層別し、各場所で最も高い頻度で設定された割込み許可レベルを該場所における受付条件の初期値として設定する、
ことを特徴とする請求項２２に記載の情報処理方法。
【請求項２５】
前記受付条件取得ステップでは、利用者の履歴情報を作業若しくは活動の場所及び同席するメンバ毎に層別し、各場所及び同席するメンバに対し最も高い頻度で設定された割込み許可レベルを該場所で該同席メンバと作業若しくは活動するときの受付条件の初期値として設定する、
ことを特徴とする請求項２２に記載の情報処理方法。
【請求項２６】
前記受付条件取得ステップでは、利用者の履歴情報を作業若しくは活動の場所及び同席するメンバ毎に層別した結果、利用履歴が検出されなかった同席メンバを含む場所については、その他の同席メンバについての履歴情報が類似する他の場所で該同席メンバに設定された初期値で補完する、
ことを特徴とする請求項２５に記載の情報処理方法。
【請求項２７】
前記受付条件取得ステップでは、利用者の履歴情報を作業若しくは活動の場所及び同席するメンバ毎に層別した結果、利用履歴が検出されなかった場所を含む同席メンバについては、その他の場所についての履歴情報が類似する他の同席メンバで該場所に設定された初期値で補完する、
ことを特徴とする請求項２５に記載の情報処理方法。
【請求項２８】
前記検索条件入力ステップでは、利用者が作業又は活動を行なう場所を検索するための検索条件として、同席するメンバと所望する割込み許可レベルを利用者から入力し、
前記場所検索ステップでは、前記検索条件入力ステップにおいて入力された同席メンバ及び割込み許可レベルを検索キーにして該当する場所を検索し、
前記場所提示ステップでは、前記場所検索ステップにおいて探し出された場所を該場所に割り当てられた割込み許可レベルとともに提示する、
ことを特徴とする請求項２５に記載の情報処理方法。
【請求項２９】
場所検索を要求する利用者についての利用履歴がなく、場所情報を抽出できない場合には、前記場所検索ステップでは、他の利用者の利用履歴から得られた受付条件情報を利用して場所情報を抽出する、
ことを特徴とする請求項２５に記載の情報処理方法。
【請求項３０】
多段階の割込み許可レベルが定義されており、
前記検索条件入力ステップでは、複数の段階にまたがって範囲指定された割込み許可レベルを検索条件として入力を受容し、
前記場所検索ステップでは、該範囲指定された割込み許可レベルを検索キーにして該当する場所を検索する、
ことを特徴とする請求項１８に記載の情報処理方法。
【請求項３１】
要求者が所望する被要求者への作業の割り込みを調整するための処理をコンピュータ・システム上で実行するようにコンピュータ可読形式で記述されたコンピュータ・プログラムであって、
被要求者となる可能性のある各利用者から、作業又は活動を行なう場所毎の割り込みを受け付ける受付条件を取得する受付条件取得ステップと、
前記受付条件取得手段が取得した受付条件を蓄積する情報蓄積ステップと、
利用者が作業又は活動を行なう場所を検索するために所望の受付条件を入力する検索条件入力ステップと、
前記検索条件入力ステップにおいて入力された受付条件を検索キーにして、該当する場所を前記情報蓄積ステップにより蓄積された受付条件情報から検索する場所検索ステップと、
前記場所検索ステップにおける検索結果を利用者に提示する場所提示ステップと、
を具備することを特徴とするコンピュータ・プログラム。
【発明の詳細な説明】
【技術分野】
【０００１】
本発明は、要求者が所望する被要求者への作業の割り込みを調整する情報処理システム及び情報処理装置、並びにコンピュータ・プログラムに係り、特に、不定期な報告や連絡や相談などといったコミュニケーションのための割り込み行為を実施したい要求者と、それを受ける被要求者との関係において、被要求者の作業の中断や周囲への迷惑を回避しつつ、情報取得の機会損失を減少させるように、被要求者への作業の割り込みを調整する情報処理システム及び情報処理装置、並びにコンピュータ・プログラムに関する。
【０００２】
さらに詳しくは、本発明は、１以上のサービス若しくはコミュニケーション手段を用いて割り込みを要求する要求者と、それを受ける被要求者との関係において、被要求者の状況に応じて、被要求者への割り込みに利用するサービス若しくはサービスを利用した割り込みを調整する情報処理システム及び情報処理装置、並びにコンピュータ・プログラムに係り、特に、被要求者が特定のメンバとの作業を実施する際に、所望する割り込み調整の条件に適合する場所その他の状況を確保する情報処理システム及び情報処理装置、並びにコンピュータ・プログラムに関する。
【背景技術】
【０００３】
近年の情報技術の進歩に伴い、さまざまなコミュニケーションの手段が提供されている。例えば、電話やファクシミリ、携帯電話、メール並びに携帯電話へのメールなどである。これらコミュニケーション手段は、伝達可能な情報量や即時性など、性能や機能はさまざまである。
【０００４】
古くは、相手を訪問したり電話をかけたりする方法でコミュニケーションをとるのが一般的であった。これに対し、最近では、携帯電話のようにユーザが携行可能で場所を問わずに連絡をとることが可能なコミュニケーション手段が日常生活に深く浸透してきている。
【０００５】
例えば、携帯電話によれば、いつでも特定の対象者に対して直接（すなわち引き継ぎ者や伝言者の介在なしに）電話若しくはメールしてコンタクトをとることができる。しかし、その反面、時間や場所を問わずにコールされると、受信者の作業の中断が余儀なくされ、あるいは電車やコンサート会場内で周囲に迷惑がかかる。また、会議中や上司若しくは目上の人との面談中にコールされると、相手に失礼となる。あるいは、車の運転中にコールされたり受話したりすると、危険である。
【０００６】
勿論、携帯電話機などほとんどのコミュニケーション装置はマナーモードを備えており、ユーザの設定により呼び出し音を消音したり、装置の電源自体を落としてしまったりする対処方法も考えられる。しかしながら、このようなモード切替や電源切り替えの操作を、ユーザは忘れがちである。うっかり、コミュニケーションが可能であるにも拘らず着信を拒否したままにすると、大事な情報が遮断され、損失につながる。逆に、大事な場面で着信の拒否設定をせずに、周囲に迷惑をかけたり、自分の損失を被ったり、危険にさらされる。
【０００７】
例えば、着信したときに送られてくる通話希望条件と受信時条件と環境条件に応じて回線接続を制御することで、受け手の都合や状況、並びに発信側の内容に応じて、着信に適正に対応することができる電話システムについて提案がなされている（例えば、特許文献１を参照のこと）。しかしながら、このシステムは電話の呼び出しに特化しており、呼び出しと着信履歴の表示以外に代替手段がない。
【０００８】
また、ページング受信機に自己の現在位置を取得するＧＰＳ受信機を設け、受信者の場所情報を利用して呼び出しを制御することで、受信者の居場所に応じて呼び出しがあったことなどの報知動作の制御が可能な受信装置について提案がなされている（例えば、特許文献２を参照のこと）。しかしながら、この場合も電話の呼び出しに特化しており、呼び出しと着信履歴の表示以外に代替手段がない。
【０００９】
また、位置センサ・システムから得られる人の所在情報を基に、相手が呼び出し可能かどうかを判定して、無駄な呼び出しを減らし、呼び出し相手の作業に極力割り込みをかけないコンタクト支援システムについて提案がなされている（例えば、特許文献３を参照のこと）。この場合、受信者の位置情報に基づいて携帯電話の呼び出しの可否を決め、相手の作業に極力割り込みをかけないようにすることができる。また、呼び出し不可の場合、呼び出し可能になるまで、タイマでの自動繰り返しも行なう。しかしながら、この場合も電話の呼び出しに特化しており、呼び出すか、受信者若しくは発信者への通知以外に代替手段がない。
【００１０】
また、利用者に外部からの通信の着信を知らせる１つ以上の着信通知手段と、利用者の各時間帯の利用環境のスケジュールを登録し参照する利用環境登録手段と、利用環境登録手段に登録される各利用者環境を、着信通知手段のうちの１つに対応させて設定する着信動作登録手段と、外部からの通信の着信時に、利用環境登録手段に登録された利用者の現在の利用環境を参照し、着信動作登録手段に設定された現在の利用環境に対応する着信通知手段により利用者に着信を通知する着信通知実行手段を備えたスケジュール管理装置について提案がなされている（例えば、特許文献４を参照のこと）。この場合、携帯電話の着信動作をスケジュールに連動させ、利用者のスケジュールに対応して着信動作を切り替えることができる。しかしながら、この場合、電話の呼び出しモードの自動切換えに特化しており、呼び出し以外の代替手段がない。
【００１１】
また、着信音の鳴らされないモードにある間に、所定回数以上電話をかけてきた発信者に対しては対応することが可能な通信端末装置について提案がなされている（例えば、特許文献５を参照のこと）。これにより、ある発信者から緊急の要件で着信があったことを知ることができ、またその場で通話を開始することができる。しかしながら、この場合、電話の呼び出しモードの自動切換えに特化しており、呼び出し以外の代替手段がない。
【００１２】
これら上述した従来技術では、携帯電話を持たない相手や携帯電話を忘れた相手に対しては、これらの呼び出し方法の切り替えは全く意味を持たない。また、用件によっては直接対話や通話によって伝達するほどの必要はなく、電子メールなどの非同期の手段でも充分な場合や、記録を残す必要がある場合などがあり、電話の呼び出し方法の切り替えだけでは対応することができない。
【００１３】
不定期な報告や連絡や相談などための割り込み行為を実施したい要求者と、それを受ける被要求者との関係において、要求者が被要求者を突然に訪問したり、あるいは、一方的に電話のベルを鳴らしたりする行為は、被要求者のその時点の作業や行動に対する割り込みとなり、車の運転中や電車内や顧客との商談中といった作業中においては、危険であったり、周囲に迷惑であったり、業務に支障をきたす。また、心理的な不快感からその後のコミュニケーションに悪影響を与えることも懸念される。
【００１４】
その一方で、作業に集中するために通信機器を切るなどして外部からの割り込みを遮断してしまった場合、重要な連絡、例えば、緊急に対応が必要な要件や、現在の作業に大きく影響するような情報をタイムリーに得る機会を失うことになり、その場合においても被要求者にとっても要求者にとっても不利益となる。
【００１５】
また、上述した従来技術は、利用者の状況に応じて電話の着信動作などの割込みの調整を行なうことができるが、逆に、利用者が所望する割込みの調整が可能となる会議室などの場所を特定する、若しくは利用者が所望する割込みの受付条件に適合した状況を形成することはできない。
【００１６】
【特許文献１】特開平８−２２８２３６号公報
【特許文献２】特開平８−２８００５０号公報
【特許文献３】特開平１１−７５２４７号公報
【特許文献４】特開２００１−１８９７７４号公報
【特許文献５】特開２００２−１９９０６３号公報
【発明の開示】
【発明が解決しようとする課題】
【００１７】
本発明の目的は、要求者が所望する被要求者への作業の割り込みを好適に調整することができる、優れた情報処理システム及び情報処理装置、並びにコンピュータ・プログラムを提供することにある。
【００１８】
本発明のさらなる目的は、不定期な報告や連絡や相談などといったコミュニケーションのための割り込み行為を実施したい要求者と、それを受ける被要求者との関係において、被要求者の作業の中断や周囲への迷惑を回避しつつ、情報取得の機会損失を減少させるように、被要求者への作業の割り込みを調整することができる、優れた情報処理システム及び情報処理装置、並びにコンピュータ・プログラムを提供することにある。
【００１９】
本発明のさらなる目的は、１以上のサービス若しくはコミュニケーション手段を用いて割り込みを要求する要求者と、それを受ける被要求者との関係において、被要求者の状況に応じて、利用するサービス若しくはサービスを利用した割り込みの実行を好適に調整することができる、優れた情報処理システム及び情報処理装置、並びにコンピュータ・プログラムを提供することにある。
【００２０】
本発明のさらなる目的は、被要求者が特定のメンバとの作業を実施する際に、所望する割り込み調整の条件に適合する場所その他の状況を好適に確保することができる、優れた情報処理システム及び情報処理装置、並びにコンピュータ・プログラムを提供することにある。
【課題を解決するための手段】
【００２１】
本発明は、上記課題を参酌してなされたものであり、その第１の側面は、要求者が所望する被要求者への作業の割り込みを調整する情報処理システムであって、被要求者となる可能性のある各利用者から、作業又は活動を行なう場所毎に割り込みを受け付ける受付条件を層別して取得する受付条件取得手段と、前記受付条件取得手段が取得した受付条件を蓄積する情報蓄積手段と、利用者が作業又は活動を行なう場所を検索するために所望の受付条件を入力する検索条件入力手段と、前記検索条件入力手段を介して入力された受付条件を検索キーにして、該当する場所を前記情報蓄積手段に蓄積されている受付条件情報から検索する場所検索手段と、前記場所検索手段による検索結果を利用者に提示する場所提示手段とを具備することを特徴とする情報処理システムである。
【００２２】
本発明に係る情報処理システムは、要求者からの割込要求を要求条件として取得する要求条件取得手段と、被要求者となる可能性のある各利用者の場所などの状況を検出する状況検出手段と、要求者が作業の割り込みを行なったときに、割り込み要求された要求条件と被要求者の受付条件と状況に応じて割り込みに利用するサービスを選択するサービス選択手段と、前記サービス選択手段が選択したサービスを実行するサービス実行手段とをさらに備え、場所に応じたサービスを自動的に実行して、割り込みの調整を行なう。
【００２３】
近年の情報技術の進歩に伴い、例えば、電話やファクシミリ、携帯電話、メール並びに携帯電話へのメールなどさまざまな手段を用いて、作業に割り込んでコンタクト若しくはコミュニケーションをとることができる。
【００２４】
ところが、時間や場所を問わずにコンタクトがとられると、受信者の作業の中断が余儀なくされ、あるいは電車やコンサート会場内で周囲に迷惑がかかる。また、会議中や上司若しくは目上の人との面談中に携帯電話がコールされあるいは携帯メールを着信すると、相手に失礼となる。あるいは、車の運転中に携帯電話がコールされたり受話したりすると、危険である。
【００２５】
これに対し、本発明によれば、要求者が作業の割り込みを行なったときに、割り込み要求された被要求者の受付条件と状況に応じて割り込みに利用するサービスを選択するので、要求者の要求条件と被要求者の受付条件と被要求者の状況に応じて割り込みの調整を行ない、妥当性のあるサービスを以ってコンタクト若しくはコミュニケーションが図られる。したがって、報告や連絡や相談などを行ないたい被要求者の作業の中断や周囲への迷惑を極力避けつつ、被要求者の情報取得の機会損失を減少させることができる。
【００２６】
また、本発明によれば、利用するサービスを選択し若しくはサービスを利用した割り込みを調整する受付条件の初期値を過去の履歴に基づいて設定することで、妥当性が高く、且つ利用者の入力（修正）の手間が少なくなるように受付条件を設定することができる。すなわち、利用者は、割り込みを調整するための受付条件を、装置が提供するデフォルトの初期値を使用し続ける必要がない。また、場所を移動するなど利用者の状況が変わっても、所望する割り込み調整の条件へとマニュアルで再設定する必要がなくなる。
【００２７】
また、本発明によれば、利用者が所望する割り込み調整の条件をキーに、適合する場所を検索して提示するので、利用者が条件を再設定する手間を省くとともに、場所の有効な活用を促すことができる。また、システムやシステム管理者、利用者などにより割り込み調整の条件の初期値が変更された場合であっても、所望の条件に適合する場所を提示することができる。
【００２８】
ここで、被要求者に対する割り込みを許可する複数の割込み許可レベルが定義されており、受付条件では、各利用者について作業又は活動を行なう場所毎に割り込み許可レベルが設定される。
【００２９】
また、本発明に係る情報処理システムは、各利用者の受付条件の利用履歴を集計する利用履歴集計手段をさらに備えていてもよい。前記利用履歴集計手段は、利用者の場所が変化したことに応じて利用履歴を更新し、利用者が受付条件を入力又は更新したことに応じても利用履歴を更新する。
【００３０】
このような場合、前記受付条件取得手段は、前記利用履歴集計手段により集計された履歴情報に基づいて、各利用者の受付条件情報における場所毎の受付条件の初期値を設定することができる。
【００３１】
前記受付条件取得手段は、利用者の履歴情報の中で最も高い頻度で設定された割込み許可レベルを受付条件における初期値として設定するようにすればよい。具体的には、利用者の履歴情報を利用者が作業又は活動を行なう場所毎に層別し、各場所で最も高い頻度で設定された割込み許可レベルを該場所における受付条件の初期値として設定することができる。あるいは、利用者の履歴情報を作業若しくは活動の場所及び同席するメンバ毎に層別し、各場所及び同席するメンバで最も高い頻度で設定された割込み許可レベルを該場所で該同席メンバと作業若しくは活動するときの受付条件の初期値として設定するようにしてもよい。
【００３２】
ここで、履歴情報を層別した結果、検出回数が０である状況（場所、予約の有無、メンバなど）では、割込み許可レベルの初期値を設定することができない、という問題がある。このような場合、大部分が一致する行や列を発見し、その情報を用いて推測することでより精度が高い初期値を得ることができる。
【００３３】
例えば、利用者の履歴情報を作業若しくは活動の場所及び同席するメンバ毎に層別した結果、利用履歴が検出されなかった同席メンバを含む場所については、その他の同席メンバについての履歴情報が類似する他の場所で該同席メンバに設定された初期値で補完する。また、利用者の履歴情報を作業若しくは活動の場所及び同席するメンバ毎に層別した結果、利用履歴が検出されなかった場所を含む同席メンバについては、その他の場所についての履歴情報が類似する他の同席メンバで同じ場所に設定された初期値で補完する。このような補完を行なうことにより、受付条件の初期値が定まらない場合であっても、より精度が高い初期値を得ることができる。
【００３４】
また、利用者の履歴情報を作業若しくは活動の場所及び同席するメンバ毎に層別し、場所及び同席メンバ毎に受付条件の初期値を設定する場合、前記検索条件入力手段は、利用者が作業又は活動を行なう場所を検索するための検索条件として、同席するメンバと所望する割込み許可レベルを利用者から入力し、前記場所検索手段は、前記検索条件入力手段を介して入力された同席メンバ及び割込み許可レベルを検索キーにして該当する場所を検索することができる。そして、前記場所提示手段は、前記場所検索手段により探し出された場所を該場所に割り当てられた割込み許可レベルとともに提示するようにすればよい。
【００３５】
また、場所検索を要求する利用者についての利用履歴がなく、場所情報を抽出できない場合には、他の利用者の利用履歴から得られた受付条件情報を利用して場所情報を抽出するようにしてもよい。
【００３６】
また、割込み許可レベルが単に「許可」と「禁止」の２つだけでなく、「緊急」、「重要」、「通常」、「任意」、「参考」というように多段階の割込み許可レベルが定義することもできる。このような場合、前記検索条件入力手段は、割り込み許可レベルの複数の段階にまたがる範囲を指定した形式で検索条件の入力を受容するようにしてもよい。そして、前記場所検索手段は、該範囲指定された割込み許可レベルを検索キーにして該当する場所を検索する。
【００３７】
また、本発明の第２の側面は、要求者が所望する被要求者への作業の割り込みを調整するための処理をコンピュータ・システム上で実行するようにコンピュータ可読形式で記述されたコンピュータ・プログラムであって、被要求者となる可能性のある各利用者から、作業又は活動を行なう場所毎の割り込みを受け付ける受付条件を取得する受付条件取得ステップと、前記受付条件取得手段が取得した受付条件を蓄積する情報蓄積ステップと、利用者が作業又は活動を行なう場所を検索するために所望の受付条件を入力する検索条件入力ステップと、前記検索条件入力ステップにおいて入力された受付条件を検索キーにして、該当する場所を前記情報蓄積ステップにより蓄積された受付条件情報から検索する場所検索ステップと、前記場所検索ステップにおける検索結果を利用者に提示する場所提示ステップとを具備することを特徴とするコンピュータ・プログラムである。
【００３８】
本発明の第２の側面に係るコンピュータ・プログラムは、コンピュータ・システム上で所定の処理を実現するようにコンピュータ可読形式で記述されたコンピュータ・プログラムを定義したものである。換言すれば、本発明の第２の側面に係るコンピュータ・プログラムをコンピュータ・システムにインストールすることによって、コンピュータ・システム上では協働的作用が発揮され、本発明の第１の側面に係る情報処理システムと同様の作用効果を得ることができる。
【発明の効果】
【００３９】
本発明によれば、不定期な報告や連絡や相談などといったコミュニケーションのための割り込み行為を実施したい要求者と、それを受ける被要求者との関係において、被要求者の作業の中断や周囲への迷惑を回避しつつ、情報取得の機会損失を減少させるように、被要求者への作業の割り込みを調整することができる、優れた情報処理システム及び情報処理装置、並びにコンピュータ・プログラムを提供することができる。
【００４０】
また、本発明によれば、１以上のサービス若しくはコミュニケーション手段を用いて割り込みを要求する要求者と、それを受ける被要求者との関係において、被要求者の状況の変化に応じて、利用するサービス若しくはサービスを利用した割り込みの調整方法を動的に設定することができる、優れた情報処理システム及び情報処理装置、並びにコンピュータ・プログラムを提供することができる。
【００４１】
電話や突然の訪問による割り込みが他の作業を中断し、あるいは車の運転中など危険につながる場合もある。しかし、全く情報を遮断してしまうと、コミュニケーションの機会の損失につながる。これに対し、本発明によれば、要求者からの割り込み要求を要求条件として取得し、該取得した要求条件と被要求者となる可能性のある各利用者の利用者情報とに基づいて、割り込みに利用するサービスを選択するように構成したので、報告や連絡や相談などを行ないたい相手の作業の中断や周囲への迷惑を極力避けつつ、情報取得の機会損失を減少させることができる。
【００４２】
さらに、本発明によれば、利用するサービスを選択し若しくはサービスを利用した割り込みを調整する条件の初期値を過去の履歴に基づいて設定することで、妥当性が高く、且つユーザの入力（修正）の手間が少なくなるように条件を設定することができる。ユーザは、割り込みを調整するための条件を、装置が提供するデフォルトの初期値を使用し続けたり、条件が変わってもマニュアルで再設定したりする必要がなくなる。
【００４３】
また、本発明によれば、不用意に割り込まれること無く、対話やコンタクトの機会損失を少なくすることができることに加えて、複数利用者を対象に、利用者の期待する割込条件あるいは近似条件に基づいて会議場所などを検索することができる。したがって、それらの場所へ訪問した後に、その場所の条件設定を確認し、場合によっては再設定するなどといった、利用者の処理を省略することができる。
【００４４】
また、本発明によれば、システム管理者や利用者が条件設定を変更したり、システムが自動で利用履歴をもとに条件設定を修正するような場合であっても、それらの影響を考慮することなしに、割り込み調整システムを利用することができる。
【００４５】
また、本発明によれば、本システムの利用者に対して割込条件のルールが継承され易いため、利用者間のルール認知のズレを生じにくくし、本システムの円滑な利用を促進する効果を期待することができる。
【００４６】
本発明のさらに他の目的、特徴や利点は、後述する本発明の実施形態や添付する図面に基づくより詳細な説明によって明らかになるであろう。
【発明を実施するための最良の形態】
【００４７】
以下、図面を参照しながら本発明の実施形態について詳解する。
【００４８】
図１には、本発明の一実施形態に係る割込調整装置の機能的な構成を模式的に示している。同図に示すように、割込調整装置１は、条件蓄積部１１と、状況蓄積部１２と、サービス選択部１３と、サービス実行部１４で構成される。
【００４９】
条件蓄積部１１は、情報端末２Ａから入力される要求条件や受付条件を蓄積する。ここで、要求条件とは、不定期な報告や連絡や相談などといったコミュニケーションのための割り込み行為を実施したい要求者が割り込みを要求する際の条件である。また、受付条件とは、割り込みを要求された被要求者が作業の中断や周囲への迷惑などを考慮して割り込みを受け付ける際の条件である。なお、実際には、情報端末２Ａは、複数種類のものが複数混在することが多い。
【００５０】
状況蓄積部１２は、状況検出装置３が検出する利用者の状況に関する状況情報を蓄積する。ここで言う利用者には、割り込みを要求する要求者と、割り込みが要求される被要求者の双方が含まれる。なお、実際には、状況検出装置３は、複数種類のものが複数混在することが多い。
【００５１】
サービス選択部１３は、条件蓄積部１１に蓄積されている要求条件や受付条件、状況蓄積部１２に蓄積されている状況情報に基づいて、実行すべきサービスを選択する。また、サービス実行部１４は、サービス選択部１３により選択されたサービスを実行する。
【００５２】
ここで言う、サービスとは、基本的には、情報端末２Ｂを介して、割り込みの要求者と被要求者の双方へ情報の提供を行なう処理である。なお、実際には、情報端末２Ｂは、複数種類のものが複数混在することが多い。例えば電話や携帯電話、メール、携帯電話へのメールなど、要求者が被要求者に対し割り込みを実現するために使用するコミュニケーション手段などがサービスに相当する。
【００５３】
なお、割込調整装置１は、専用のハードウェア装置として設計・製作することもできるが、上述の各部の処理動作をコンピュータ可読形式で記述したプログラムをパーソナル・コンピュータなどの計算機システムで実行させるという形態で実現することができる。
【００５４】
次に、割込調整装置１を利用した割込調整システムの具体的な構成例について説明する。図２には、割込調整システムの構成例を示している。
【００５５】
同図に示した例では、割込調整装置１は、ネットワーク５に接続されている。また、ネットワーク５には、場所６に存在するＰＣ２１や携帯電話２２、センサ３１、カメラ３２などの各機器が接続されているとともに、場所７に存在するＦＡＸ２３やＰＣ２４、電子掲示板２５、携帯電話２６、ＰＤＡ２７、センサ３３などの各機器が接続されている。また、ネットワーク５には、この他にも、スケジュール管理システム３４や会議予約システム３５が接続されている。なお、場所６は、例えば、利用者の自席（会社内）や自宅であり、場所７は、例えば、会議室や公共スペースである。このような場所は、実際には、複数存在するものとする。
【００５６】
ＰＣ２１や携帯電話２２、ＰＣ２４、携帯電話２６、ＰＤＡ２７は、図１に示した情報端末２Ａ、情報端末２Ｂに相当するものである。また、ＦＡＸ２３や電子掲示板２５は、図１に示した情報端末２Ｂに相当するものである。但し、ＰＣ２１、携帯電話２２、ＰＣ２４、携帯電話２６、ＰＤＡ２７は、条件（例えばＰＣ２１であれば、ユーザ操作を検知することができるアプリケーション・ソフトが稼働しているなどの条件、携帯電話２２であれば、ＧＰＳなどによる位置検知が可能であるなどの条件）によって、図１に示した状況検出装置３としても利用することができる。
【００５７】
センサ３１やカメラ３２、センサ３３、スケジュール管理システム３４、会議予約システム３５は、図１に示した状況検出装置３に相当する。なお、センサ３１などは、利用者が所持する発信器や無線機、赤外線装置などの出力を検知することで、要求者や被要求者などの本システムの利用者の存在を検出する。なお、状況検出装置３としては、この他にも、入退室管理システムなど、利用者の状況を検出することができるものであれば、どのようなものでも利用することができる。
【００５８】
以下では、各実施例に沿って、本発明を適用した割込調整装置について説明する。なお、各実施例の構成は適宜組み合わせて利用することができることを付記しておく。
【実施例１】
【００５９】
図３には、本発明の実施例１における割込調整装置の機能的な構成を示している。図示のように、割込調整装置１０１は、要求条件入力部１０２と、受付条件入力部１０３と、情報蓄積部１０４と、サービス選択部１０５と、サービス実行部１０６で構成される。
【００６０】
要求条件入力部１０２は、割り込みを要求する要求者からの要求条件の入力を受け付ける。要求条件は、不定期な報告や連絡や相談などといったコミュニケーションのための割り込み行為を実施したい要求者が割り込みを要求する際の条件である。
【００６１】
要求条件の入力は、図１に示した情報端末２Ａに相当するもの（例えば、図２に示したＰＣ２１）から行なわれる。要求条件入力部１０２は、その際に、図４に示すような入力画面を情報端末２Ａ相当に提供する。要求者は、図示の入力画面を介して、対象者（被要求者）や優先度、要件などを含む要求条件を入力することができる。なお、要求条件入力部１０２は、要求者が要求条件の一部のみを入力した場合には、後に不足する条件が追加された時点で要求条件として受け付けるようにしてもよく、不足する条件を初期値で補って要求条件として受け付けるようにしてもよい。
【００６２】
受付条件入力部１０３は、被要求者となる可能性のある利用者全般からの受付条件の入力を受け付ける。受付条件は、割り込みを要求された被要求者が作業の中断や周囲への迷惑などを考慮して割り込みを受け付ける際の条件である。
【００６３】
受付条件の入力は、情報端末２Ａに相当するものから行なわれる。受付条件入力部１０３は、その際に、図５に示すような入力画面を情報端末２Ａ相当に提供する。これにより、利用者は、各優先度における対応を指定した受付条件を入力する。なお、受付条件入力部１０３は、利用者が受付条件の一部のみを入力した場合には、不足する条件を初期値で補って受付条件として受け付けるようにしてもよい。また、受付条件は、管理者などにより制約を受ける。例えば、会社などの組織であれば人事部の担当者により、休憩中の受け付けを禁止するなどの制約を受けるようにしてもよい。ここでは、「携帯メール」は携帯電話などの携帯端末で送受信できるメール・サービスを示し、一度に送受信できるメッセージの文字数の制限がある点や、モバイル環境下でも送受信可能であるなどの点で、通常のメールである「ＰＣメール」と区別する。
【００６４】
情報蓄積部１０４は、図１に示した条件蓄積部１１に相当するもので、要求条件入力部１０２が受け付けた要求条件と、受付条件入力部１０３が受け付けた受付条件を蓄積する。
【００６５】
サービス選択部１０５は、図１に示したサービス選択部１３に相当し、情報蓄積部１０４に蓄積されている要求条件と受付条件に基づいて、実行すべきサービスを選択する。サービスは、割り込みの要求者と被要求者の双方へ情報の提供を行なう処理であり、例えば電話や携帯電話、メール、携帯電話へのメールなどの情報端末を利用して、要求者が被要求者に対し割り込みを実現する。
【００６６】
サービス実行部１０６は、図１に示したサービス実行部１４に相当し、サービス選択部１０５が選択したサービスを実行し、図１に示した情報端末２Ｂに相当するもの（例えば、図２に示した携帯電話２６）に対して情報を出力する。
【００６７】
なお、本実施例では、割込調整装置１０１は状況情報を利用しない。したがって、図１に示した状況蓄積部１２に相当する構成はなく、状況検出装置３に相当する構成も不要となる。
【００６８】
ここで、サービス選択部１０５の処理動作について説明する。図６及び図７には、サービス選択部１０５における動作手順をフローチャートの形式で示している。
【００６９】
サービス選択部１０５は、処理を開始すると、情報蓄積部１０４から新規に蓄積された要求条件を検索する（ステップＳ１１１）。そして、該当する要求条件があれば（ステップＳ１１２でＹＥＳ）、サービス選択処理を行なう（ステップＳ１１３）。
【００７０】
このサービス選択処理では、図７に示す処理を行なうが、当該処理はマルチスレッドなどにより複数の処理を並列して行なうことが可能であるため、当該処理の終了を待たずに再び新規に蓄積された要求情報の検索を行なうようにしてもよい。
【００７１】
一方、情報蓄積部１０４に新規の要求条件が蓄積されなかった場合には（ステップＳ１１２でＮＯ）、一定時間後に、再度、新規に蓄積された要求情報の検索を行なう。
【００７２】
なお、図６に示した処理に代えて、要求条件入力部１０２が要求条件を受け付けた旨をサービス選択部１０５に通知し、この通知に基づいてサービス選択部１０５が、ステップＳ１１３のサービス選択処理を実行するようにしてもよい。
【００７３】
ステップＳ１１３のサービス選択処理では、まず、ステップＳ１１１で検索された新規の要求条件で指定されている被要求者の受付条件を情報蓄積部１０４から検索する（ステップＳ１２１）。その結果、情報蓄積部１０４に該当する受付条件があれば（ステップＳ１２２でＹＥＳ）、要求条件と受付条件に基づいて、サービスの選択を行なう（ステップＳ１２３）。
【００７４】
本実施例では、優先度とサービス間の対応関係が設定される。図８には、優先度とサービス間の対応関係の設定例を示している。図示の例では、サービスの選択は、５段階の優先度の「１：緊急」、「２：重要」、「３：通常」、「４：任意」、「５：参考」に対して、サービス「携帯電話可」、「携帯メール」、「ＰＣメール」、「ＰＣメール」、「保留」がそれぞれ設定されている。例えば、要求条件に含まれる優先度が「３：通常」であれば「ＰＣメール」を選択するように、要求条件に含まれる優先度に基づいて、受付条件の同優先度に指定されているサービスを選択することで行なう。
【００７５】
サービスを選択すると、サービス選択部１０５は、サービス実行部１０６に選択したサービスの実行を指示して（ステップＳ１２４）、サービス選択処理を終了する。
【００７６】
なお、サービスの選択は、優先度以外の要素に基づいて行なうようにしてもよい。例えば、受付条件で要求者の役職などの人属性毎にサービスを指定しておき、サービス選択部１０５が要求条件に含まれる要求者の人属性と受付条件を比較してサービスを選択するようにすることができる。
【００７７】
サービスは、基本的には指定された方法で被要求者に対して要件などの通知を行なうとともに、その結果を要求者にも通知するものであるが、選択したサービスが「保留」であった場合には、要求者に対してその旨を通知するのみの処理となる。
【００７８】
一方、被要求者の受付条件を検索した結果、情報蓄積部１０４に該当する受付条件が蓄積されていなかった場合には（ステップＳ１２２でＮＯ）、要求条件に受付条件が登録されるのを待つ旨の指定があり（ステップＳ１２５でＹＥＳ）、その条件が継続している間（ステップＳ１２６でＹＥＳ）、例えば、一定時間内や指定時刻前であれば、該当する受付条件が登録されるのを待ち、該当する受付条件が登録されると（ステップＳ１２２でＹＥＳ）、上述したのと同様の処理を行なう。 
【００７９】
また、要求条件に受付条件が登録されるのを待つ旨の指定が無い場合や（ステップＳ１２５でＮＯ）、待ち指定があっても待つための条件が継続しなくなった場合には（ステップＳ１２６でＮＯ）、受付条件が存在しない旨を要求者に通知することをサービス実行部１０６に指示して（ステップＳ１２７）、サービス選択処理を終了する。 
【実施例２】
【００８０】
図９には、本発明の実施例２に係る割込調整装置の機能的な構成を示している。同図に示すように、割込調整装置２０１は、要求条件入力部２０２と、状況情報取得部２０３と、情報蓄積部２０４と、サービス選択部２０５と、サービス実行部２０６で構成される。
【００８１】
要求条件入力部２０２は、割り込みを要求する要求者からの要求条件の入力を受け付ける。要求条件の入力は、図１に示した情報端末２Ａに相当するものから行なわれるが、要求条件入力部２０２は、その際に、実施例１の要求情報入力部１０２と同様に、図４に示すような入力画面を情報端末２Ａ相当に提供する。これにより、要求者は、対象者（被要求者）や優先度、要件などを含む要求条件を入力する。なお、要求条件入力部２０２は、要求者が要求条件の一部のみを入力した場合には、後に不足する条件が追加された時点で要求条件として受け付けるようにしてもよく、不足する条件を初期値で補って要求条件として受け付けるようにしてもよい。
【００８２】
状況情報取得部２０３は、図１に示した状況検出装置３に相当するもの（例えば、図２に示したセンサ３１）が検出した利用者の状況を取得し、取得した状況に基づいて状況情報を生成する。状況情報は、各利用者が、どのような状況にあるかを示す情報で、所在場所や、会議中か否か、同席するメンバなどの情報である。
【００８３】
情報蓄積部２０４は、図１に示した条件蓄積部１１及び状況蓄積部１２に相当し、要求条件入力部２０２が受け付けた要求条件と、状況情報取得部２０３が取得した状況情報を蓄積する。
【００８４】
サービス選択部２０５は、図１に示したサービス選択部１３に相当し、情報蓄積部２０４に蓄積されている要求条件と状況情報に基づいて、実行すべきサービスを選択する。
【００８５】
サービス実行部２０６は、図１に示したサービス実行部１４に相当し、サービス選択部２０５が選択したサービスを実行し、図１に示した情報端末２Ｂに相当するものに対して情報を出力する。
【００８６】
ここで、サービス選択部２０５の処理動作について説明する。図１０には、サービス選択部２０５の動作手順をフローチャートの形式で示している。なお、サービス選択部２０５は、実施例１のサービス選択部１０５と、一部の処理（図６を参照した部分）が同様であるので、図６を併せて参照する。
【００８７】
サービス選択部２０５は、処理を開始すると、情報蓄積部２０４から新規に蓄積された要求条件を検索する（ステップＳ１１１）。そして、該当する要求条件があれば（ステップＳ１１２でＹＥＳ）、サービス選択処理を行なう（ステップＳ１１３）。このサービス選択処理では、図１０に示す処理を行なうが、当該処理はマルチスレッドなどにより複数の処理を並列して行なうことが可能であることから、当該処理の終了を待たずに、再び新規に蓄積された要求情報の検索を行なうようにしてもよい。
【００８８】
一方、情報蓄積部２０４に新規の要求条件が蓄積されなかった場合には（ステップＳ１１２でＮＯ）、一定時間後に、再度、新規に蓄積された要求情報の検索を行なう。なお、図６に示した処理に代えて、要求条件入力部２０２が要求条件を受け付けた旨をサービス選択部２０５に通知し、この通知に基づいてサービス選択部２０５が、ステップ１１３のサービス選択処理を実行するようにしてもよい。
【００８９】
ステップＳ１１３のサービス選択処理では、まず、ステップＳ１１１で検索された新規の要求条件で指定されている被要求者の状況情報を情報蓄積部２０４から検索する（ステップＳ２２１）。その結果、情報蓄積部２０４に該当する状況情報があれば（ステップＳ２２２でＹＥＳ）、要求条件と状況情報に基づいて、サービスの選択を行なう（ステップＳ２２３）。
【００９０】
サービスの選択は、例えば、図１１に示すような被要求者の状況と要求者が指定する優先度に対応するサービスを設定したテーブルに基づいて決定する。図１１に示したテーブルでは、被要求者の所在場所などに基づいて、「通常作業」、「通常会議」、「集中作業」、「重要会議」、「休憩」、「禁止」などの状況が設定されており、その状況毎に、「１：緊急」、「２：重要」、「３：通常」、「４：任意」、「５：参考」の５段階の優先度（すなわち受付条件）に応じたサービスが設定されている。
【００９１】
このテーブルに基づいて、要求条件に含まれる優先度に基づいて、受付条件の同優先度に指定されているサービスを選択することができる。例えば、被要求者が「重要会議」の状況下にあり、要求条件に含まれる優先度が「３：通常」であれば、「ＰＣメール」を選択する。このように所在場所をサービスの選択肢に直接変換することにより、被要求者のプライバシ情報を開示せずにサービスを実施することができる。
【００９２】
サービスを選択すると、サービス選択部２０５は、サービス実行部２０６に選択したサービスの実行を指示して（ステップＳ２２４）、サービス選択処理を終了する。
【００９３】
なお、サービスの選択は、優先度以外の要素に基づいて行なうようにしてもよい。例えば、図１１に示した優先度を要求者の役職などの人属性に変更したテーブルを用いるなど、さまざまな条件に基づいてサービスを選択するようにすることができる。
【００９４】
ところで、サービスは、基本的には指定された方法で被要求者に対して要件などの通知を行なうとともに、その結果を要求者にも通知するものであるが、選択したサービスが「保留」であった場合には、要求者に対してその旨を通知するのみの処理となる。
【００９５】
一方、被要求者の状況情報を検索した結果、情報蓄積部２０４に該当する状況情報が蓄積されていなかった場合には（ステップＳ２２２でＮＯ）、要求条件に状況情報が登録、つまり、被要求者の状況が検出されるのを待つ旨の指定があり（ステップＳ２２５でＹＥＳ）、その条件が継続している間（ステップＳ２２６でＹＥＳ）、例えば、一定時間内や指定時刻前であれば、該当する状況情報が登録されるのを待ち、該当する状況情報が登録されると（ステップＳ２２２でＹＥＳ）、上述と同様の処理を行なう。
【００９６】
また、要求条件に状況情報が登録されるのを待つ旨の指定がない場合や（ステップＳ２２５でＮＯ）、待ち指定があっても待つための条件が継続しなくなった場合には（ステップＳ２２６でＮＯ）、指定された被要求者が検出可能な範囲内に存在しない旨を要求者に通知することをサービス実行部２０６に指示して（ステップＳ２２７）、サービス選択処理を終了する。
【実施例３】
【００９７】
図１２には、本発明の実施例３に係る割込調整装置の機能的な構成を示している。同図に示すように、割込調整装置３０１は、要求条件入力部３０２と、受付条件入力部３０３と、状況情報取得部３０４と、情報蓄積部３０５、サービス選択部３０６と、サービス実行部３０７で構成される。
【００９８】
要求条件入力部３０２は、割り込みを要求する要求者からの要求条件の入力を受け付ける。要求条件の入力は、図１に示した情報端末２Ａに相当するものから行なわれるが、要求条件入力部３０２は、その際に、実施例１の要求情報入力部３０２と同様に、図４に示すような入力画面を情報端末２Ａ相当に提供する。これにより、要求者は、対象者（被要求者）や優先度、要件などを含む要求条件を入力する。なお、要求条件入力部３０２は、要求者が要求条件の一部のみを入力した場合には、後に不足する条件が追加された時点で要求条件として受け付けるようにしてもよく、不足する条件を初期値で補って要求条件として受け付けるようにしてもよい。
【００９９】
受付条件入力部３０３は、被要求者となる可能性のある利用者全般からの受付条件の入力を受け付ける。受付条件の入力は、情報端末２Ａに相当するものから行われるが、受付条件入力部３０３は、その際に、図１３に示すような入力画面を情報端末２Ａ相当に提供する。これにより、利用者は、自身の状況を意味する作業対象毎に、各優先度における対応を指定した受付条件を入力する。なお、受付条件入力部３０３は、利用者が受付条件の一部のみを入力した場合には、不足する条件を初期値で補って受付条件として受け付けるようにしてもよい。
【０１００】
状況情報取得部３０４は、図１に示した状況検出装置３に相当するもの（例えば、図２に示したセンサ３１）が検出した利用者の状況を取得し、取得した状況に基づいて状況情報を生成する。状況情報は、各利用者が、どのような状況にあるかを示す情報で、所在場所や、会議中か否か、同席するメンバなどの情報である。
【０１０１】
情報蓄積部３０５は、図１に示した条件蓄積部１１及び状況蓄積部１２に相当し、要求条件入力部３０２が受け付けた要求条件と、受付条件入力部３０３が受け付けた受付条件、状況情報取得部３０４が取得した状況情報を蓄積する。
【０１０２】
サービス選択部３０６は、図１に示したサービス選択部１３に相当し、情報蓄積部３０５に蓄積されている要求条件、受付条件、状況情報に基づいて、実行すべきサービスを選択する。
【０１０３】
サービス実行部３０７は、図１に示したサービス実行部１４に相当し、サービス選択部３０６が選択したサービスを実行し、図１に示した情報端末２Ｂに相当するものに対して情報を出力する。
【０１０４】
ここで、サービス選択部３０６の処理動作について説明する。図１４には、サービス選択部３０６における動作手順をフローチャートの形式で示している。なお、サービス選択部３０６は、実施例１のサービス選択部１０５と、一部の処理（図６を参照した部分）が同様であるので、図６を併せて参照する。
【０１０５】
サービス選択部３０６は、処理を開始すると、情報蓄積部３０５から新規に蓄積された要求条件を検索する（ステップＳ１１１）。そして、該当する要求条件があれば（ステップＳ１１２でＹＥＳ）、サービス選択処理を行なう（ステップＳ１１３）。このサービス選択処理では、図１４に示す処理を行なうが、当該処理はマルチスレッドなどにより複数の処理を並列して行なうことが可能であるから、当該処理の終了を待たずに、再び新規に蓄積された要求情報の検索を行なうようにしてもよい。
【０１０６】
一方、情報蓄積部３０５に新規の要求条件が蓄積されなかった場合には（ステップＳ１１２でＮＯ）、一定時間後に、再度、新規に蓄積された要求情報の検索を行なう。なお、図６に示した処理に代えて、要求条件入力部３０２が要求条件を受け付けた旨をサービス選択部３０６に通知し、この通知に基づいてサービス選択部３０６が、ステップ１１３のサービス選択処理を実行するようにしてもよい。
【０１０７】
ステップＳ１１３のサービス選択処理では、まず、ステップＳ１１１で検索された新規の要求条件で指定されている被要求者の受付条件を情報蓄積部３０５から検索する（ステップＳ３２１）。
【０１０８】
情報蓄積部３０５に該当する受付条件があれば（ステップＳ３２２でＹＥＳ）、要求条件と受付条件の比較を行なう（ステップＳ３２３）。
【０１０９】
状況情報を要することなくサービスの選択が可能であれば（ステップＳ３２４でＹＥＳ）、サービス選択部３０６は、要求条件と受付条件に基づいてサービスの選択を行ない（ステップＳ３２５）、サービス実行部３０７に選択したサービスの実行を指示して（ステップＳ３２６）、サービス選択処理を終了する。
【０１１０】
なお、状況情報が不要な場合とは、例えば、優先度が「緊急」に指定されている場合は、被要求者がその状況に関わらずに携帯電話によるサービスを受付条件で指定している場合などである。
【０１１１】
一方、要求条件と受付条件の比較の結果、状況情報を要する場合や（ステップＳ３２４でＮＯ）、情報蓄積部３０５に該当する受付条件がなかった場合には（ステップＳ３２２でＮＯ）、サービス選択部３０６は、要求条件で指定されている被要求者の状況情報を情報蓄積部３０５から検索する（ステップＳ３２７）。
【０１１２】
そして、情報蓄積部３０５に該当する状況情報があれば（ステップＳ３２８でＹＥＳ）、サービス選択部３０６は、要求条件、受付条件、状況情報に基づいてサービスの選択を行ない（ステップＳ３２５）、サービス実行部３０７に選択したサービスの実行を指示して（ステップＳ３２６）、サービス選択処理を終了する。
【０１１３】
なお、サービスの選択は、基本的には、実施例２の場合と同様であるが、実施例３の場合は、図１１に相当するテーブルのサービスを受付条件に基づいて変更している。また、情報蓄積部３０５に該当する受付条件がなかった場合には、サービスの選択時に、受付条件に代えて、実施例２の場合と同様に図１１に示すような初期値としてサービスが設定されているテーブルを用いてサービスの選択を行なう。また、サービスの選択は、実施例１や実施例２の場合と同様に、優先度以外の要素に基づいて行なうようにしてもよい。 
【０１１４】
サービスは、基本的には指定された方法で被要求者に対して要件などの通知を行なうとともに、その結果を要求者にも通知するものであるが、選択したサービスが「保留」であった場合には、要求者に対してその旨を通知するのみの処理となる。 
【０１１５】
一方、被要求者の状況情報を検索した結果、情報蓄積部３０５に該当する状況情報が蓄積されていなかった場合には（ステップＳ３２８でＮＯ）、要求条件に状況情報が登録、つまり、被要求者の状況が検出されるのを待つ旨の指定があり（ステップＳ３２９でＹＥＳ）、その条件が継続している間（ステップＳ３３０でＹＥＳ）、例えば、一定時間内や指定時刻前であれば、該当する状況情報が登録されるのを待ち、該当する状況情報が登録されると（ステップＳ３２８でＹＥＳ）、上述したのと同様の処理を行なう。 
【０１１６】
また、要求条件に状況情報が登録されるのを待つ旨の指定がない場合や（ステップＳ３２９でＮＯ）、待ち指定があっても待つための条件が継続しなくなった場合には（ステップＳ３３０でＮＯ）、指定された被要求者が検出可能な範囲内に存在しない旨を要求者に通知することをサービス実行部３０７に指示して（ステップＳ３３１）、サービス選択処理を終了する。 
【０１１７】
なお、図１４には、その処理の流れを示してはいないが、被要求者の受付条件と状況情報の両者が存在しない場合には、指定により、その両者が登録されるのを待つような処理を行なうようにしてもよい。
【実施例４】
【０１１８】
上述した実施例１〜実施例３によれば、要求者の条件と被要求者の条件の間で調整を行なうことで、被要求者の作業の中断や周囲への迷惑を回避しつつ、情報取得の機会損失を減少することができる。この場合、割り込みを調整するための条件を、装置が提供するデフォルトの初期値を使うか、さもなければユーザが全て入力する必要がある。
【０１１９】
要求者と被要求者間では、割り込みに使用するサービスは、場所によっては慣例的に使われ方が決まっているような場所や、メンバによっては割り込みを常に禁止したいというように、使われ方が決まってくることが多い。そこで、実施例４では、過去の履歴を利用して妥当性の高い初期値を推定し、ユーザが初期値を修正する手間が少なくなるように受付条件を設定できるようにした。また、利用者は居場所を移動するなどして時間とともに状況が変化するので、状況検出に応じて動的にサービスを選択できるようにした。
【０１２０】
図１５には、本発明の実施例４に係る割込調整装置の機能的な構成を示している。同図に示すように、割込調整装置４０１は、要求条件入力部４０２と、受付条件入力部４０３と、状況情報検出部４０４と、情報蓄積部４０５、サービス選択部４０６と、サービス実行部４０７で構成される。
【０１２１】
要求条件入力部４０２は、割り込みを要求する要求者からの要求条件の入力を受け付ける。要求条件の入力は、図１に示した情報端末２Ａに相当するものから行なわれるが、要求条件入力部４０２は、その際に、実施例１の要求情報入力部４０２と同様に、図４に示すような入力画面を情報端末２Ａ相当に提供する。これにより、要求者は、対象者（被要求者）や優先度、要件などを含む要求条件を入力する。なお、要求条件入力部４０２は、要求者が要求条件の一部のみを入力した場合には、後に不足する条件が追加された時点で要求条件として受け付けるようにしてもよく、不足する条件を初期値で補って要求条件として受け付けるようにしてもよい。
【０１２２】
受付条件入力部４０３は、被要求者となる可能性のある利用者全般からの受付条件の入力を受け付ける。受付条件の入力は、情報端末２Ａに相当するものから行われるが、受付条件入力部４０３は、その際に、図１３に示すような入力画面を情報端末２Ａ相当に提供する。これにより、利用者は、自身の状況を意味する作業対象毎に、各優先度における対応を指定した受付条件を入力する。なお、受付条件入力部４０３は、利用者が受付条件の一部のみを入力した場合には、不足する条件を初期値で補って受付条件として受け付けるようにしてもよい。
【０１２３】
状況情報検出部３０４は、図１に示した状況検出装置３に相当するもの（例えば、図２に示したセンサ３１）が検出した利用者の状況を取得し、取得した状況に基づいて状況情報を生成する。状況情報は、各利用者が、どのような状況にあるかを示す情報で、所在場所や、会議中か否か、同席するメンバなどの情報である。
【０１２４】
情報蓄積部４０５は、図１に示した条件蓄積部１１及び状況蓄積部１２に相当し、要求条件入力部４０２が受け付けた要求条件と、受付条件入力部４０３が受け付けた受付条件、状況情報検出部４０４が取得した状況情報を蓄積する。
【０１２５】
サービス選択部４０６は、図１に示したサービス選択部１３に相当し、情報蓄積部４０５に蓄積されている要求条件、受付条件、状況情報に基づいて、実行すべきサービスを選択する。
【０１２６】
サービス実行部４０７は、図１に示したサービス実行部１４に相当し、サービス選択部４０６が選択したサービスを実行し、図１に示した情報端末２Ｂに相当するものに対して情報を出力する。
【０１２７】
本実施例では、要求者からの割り込みを調整するための受付条件として、装置が提供する初期値を使うが、利用者の状況検出に応じて動的にサービスを選択できるように構成されている。
【０１２８】
図１６には、被要求者の状況変化によりサービスを選択するための受付条件の設定・解除を行なう一例を示している。例えば、会議室や面談スペースでは、通常、初期値として割込み許可とするが、機密事項の打ち合わせのため、被要求者は携帯端末２Ａを介して割込禁止を設定する。その後、打ち合わせが終了し、自席や在宅へ場所を移動する。この状況変化を検出すると、割込禁止の設定が必要であった要件は終了したものと判断し、割込許可状態を初期値（割込許可）に自動変更する。
【０１２９】
また、図１７には、被要求者の状況変化によりサービスを選択するための受付条件の設定・解除を行なう他の例を示している。自席又は在籍中に、カメラ３２などの状況検出装置３は、被要求者が電話中であることを検出すると、割込み禁止を設定する。そして、時間が経過すると、被要求者は電話を置くと、用件は終了したものと判断し、割込み許可状態を初期値（割込許可）に自動変更する。勿論、カメラ３２からの映像情報ではなく、電話回線の切断により電話の終了を検出するようにしてもよい。
【０１３０】
本実施例では、要求者からの割り込みの調整を行なうための受付条件として、装置が提供する初期値を使うが、ユーザが情報端末２Ａを介した入力に応じてこの受付条件を変更することができる。ここで、要求者と被要求者間では、割り込みに使用するサービスは、慣例的に使われ方が決まっているような場所や、メンバによっては割り込みを常に禁止したいというように、使われ方が決まってくることが多い。そこで、これらを過去の履歴を利用して推定し、初期値とすることで、妥当性が高く、且つユーザの入力(修正)の手間が少なくなるように条件を設定することができる。
【０１３１】
以下では、割込調整の利用履歴を記録し、利用履歴の統計情報により受付条件の初期値を決定するための処理手順について説明する。
【０１３２】
各利用者の割込の許可又は禁止設定は、どの場所に居たかに依存する。すなわち、割り込みに使用するサービスは場所に応じて慣例的に決まってくるので、過去の履歴から、割込許可又は禁止設定に関する妥当な初期値を場所毎に求めることができる。
【０１３３】
図２に示したシステム構成によれば、会議室や居室などの場所毎に、センサ３１やカメラ３２などの利用者の状況を検出する状況検出装置が設置されており、場所毎に各利用者が検出された回数を検出することができる。場所に関する履歴情報は状況蓄積部１２で集計される。また、利用者は、それぞれの場所で、携帯端末２Ａを介して割込みの許可又は禁止の設定を行なう。割込調整などの受付条件に関する履歴情報は、条件蓄積部１１で集計される。このような利用履歴に関する統計情報を場所によって層別することで、利用者について場所毎に妥当な割り込み許可又は禁止の初期値を与えることができる。妥当や初期値を得ることにより、利用者は割込設定若しくは受付条件の入力や修正を行なう手間を省くことができる。
【０１３４】
図１８には、利用者による履歴情報を場所によって層別した例を示している。同図に示したテーブルでは、場所を検知するセンサによって検出された回数と、その中で割込禁止を設定した回数を示している。
【０１３５】
さらに、これまでに設定した割込禁止の設定率を場所毎に求め、これを割込禁止の確率として示している。そして、この割込設定率が閾値０．５以上の場合には、その場所の初期値を「禁止」に、０．５未満の場合の初期値を「許可」にすることで、禁止確率の高い方を初期値とすることができる。
【０１３６】
例えば、小会議室、大会議室、居室、実験室では割込禁止設定率がそれぞれ０．１３５、０．０７１、０．０１６、０．０２３と、０．５未満なので、これらの場所での割込設定の初期値を「許可」とする。一方、役員会議室と面談室では割込禁止設定率がそれぞれ１．０、０．７５と０．５以上なので、割込設定の初期値を「禁止」とする。
【０１３７】
なお、同じ場所で、最初は割込許可、途中から割込禁止というように切り替わる場合には、切り替わった時点からを再度検出されたものとしてカウントとすれば、さらに詳細な確率が求められる。
【０１３８】
また、図１９には、利用者による履歴情報を場所によって層別した他の例を示している。図１８で示した例では、割込み許可レベルは禁止と許可の２通りだけであったが、ここでは、禁止以外に、緊急、重要、通常、任意、参考という多段階の割込み許可レベルが定義されている。例えば要求者が「緊急」として割り込みを要求した場合以外は受け付けないという場合が「緊急」であり、「重要」の場合は、「緊急」と「重要」の両方を受け付けるというような設定になる。
【０１３９】
図１９に示したテーブルでは、場所を検知するセンサによって検出された回数と、その中でそれぞれの割込許可レベルを設定した回数を示している。さらに、各場所においてこれまでに設定した回数が最も大きい（すなわち最も設定頻度の高い）割込許可レベルを求め、最頻値を持つ割込み許可レベルをその場所における初期値としている。この場合、参考＝５、任意＝４、通常＝３、重要＝２、緊急＝１、禁止＝０というように値を割り当てて平均を求める方法だけではなく、最も数が多い最頻値を利用する方法がある。
【０１４０】
図示の例では、小会議室では設定回数が最頻値である「重要」が割込設定の初期値に設定される。また、大会議室では設定回数が最頻値である「通常」が割込設定の初期値に設定される。また、役員会議室では設定回数が最頻値である「禁止」が割込設定の初期値に設定される。また、居室では設定回数が最頻値である「通常」が割込設定の初期値に設定される。また、実験室では設定回数が最頻値である「重要」が割込設定の初期値に設定される。また、面談室では設定回数が最頻値である「禁止」が割込設定の初期値に設定される。
【０１４１】
図２０には、受付条件を状況変化により自動変更するための処理手順をフローチャートの形式で示している。この処理動作は、例えば、ある利用者が場所を移動するなど、状況の変化が発生したときに、割込調整を行なうメインプログラムより起動される。
【０１４２】
まず、場所やメンバなど履歴を層別するための状況条件を抽出する（ステップＳ４０１）。
【０１４３】
次いで、状況条件をキーとして対象となる履歴を検索する（ステップＳ４０２）。そして、割込許可状態や優先度などを集計する（ステップＳ４０３）。
【０１４４】
次いで、集計して得られた推定値で、場所毎の割込設定を初期化する（ステップＳ４０４）。ここで、平均値、最頻値などを選択する。最頻値で同じものがあれば、上位優先、下位優先などのポリシーによって決定する。例えば、不用意な割り込みを極力避ける場合には、上位優先により、割り込みを少なくするとよい。
【０１４５】
そして、受付条件の履歴を追加して（ステップＳ４０５）、本処理ルーチン全体を終了する。図２１には、受付条件履歴の例を示している。
【０１４６】
ユーザが割込許可レベルを明示的に設定する場合、初期値が設定されているので、現在の条件を更新する形態になる。図２２には、受付条件をユーザが変更する場合の受付条件を変更するための処理手順をフローチャートの形式で示している。
【０１４７】
まず、現在時刻を記録する（ステップＳ４１１）。そして、利用者の受付条件を読み出し（ステップＳ４１２）、受付条件の入力を待つ（ステップＳ４１３）。利用者の携帯端末２Ｂ上では、初期値で設定された受付条件を表示し、ユーザが変更したい部分を入力する。本実施例では割込許可レベルの入力になる。
【０１４８】
ここで、利用者から受付条件の変更があると（ステップＳ４１４）、受付条件を更新する（ステップＳ４１５）。
【０１４９】
次いで、条件蓄積部１１に蓄積されている最新の履歴情報を参照し（ステップＳ４１６）、現在時刻と比較する（ステップＳ４１７）。そして、現在時刻がｋ分を経過している場合には、履歴情報を追加する（ステップＳ４１８）。
【０１５０】
一方、現在時刻がｋ分以内である場合には、最新履歴を更新する（ステップＳ４１９）。
【０１５１】
状況が変化した時点で履歴情報を追加するが、状況の変化から短時間の間は、この履歴情報を更新する処理として扱う。例えば、会議室に入った直後に割込許可レベルを禁止にしたとしても、タイムラグがあるため割込許可レベルが許可になった履歴が１件増えてしまうことになり、正しい統計量がとれなくなってしまう。そこで、上述したように、状況が変化してから一定時間内の変更は履歴の更新として扱うことにしている。
【実施例５】
【０１５２】
実施例４では、過去の履歴を利用して妥当性の高い初期値を推定し、ユーザが初期値を修正する手間が少なくなるように、割り込み要求に対する受付条件を設定できるようにした。このように利用者の状況に応じて被要求者への割込みの調整を行なうことができるが、逆に、利用者が所望する割込みの調整が可能となる会議室などの場所を特定する、若しくは利用者が所望する割込みの受付条件に適合した状況を形成することはできない。
【０１５３】
そこで、第５の実施例では、不用意に割り込まれること無く、対話やコンタクトの機会損失を少なくすることができることに加えて、複数の利用者を対象に、利用者の期待する割込条件あるいは近似条件に基づいて会議場所などを検索するようにした。この場合、それらの場所へ訪問した後に、その場所の条件設定を確認し、場合によっては再設定するなどといった、利用者の処理を省略することができる。
【０１５４】
図２に示したシステム構成によれば、会議室や居室などの場所毎に、センサ３１やカメラ３２などの利用者の状況を検出する状況検出装置が設置されており、場所毎に各利用者が検出された回数を検出することができる。場所に関する履歴情報は状況蓄積部１２で集計される。また、利用者は、それぞれの場所で、携帯端末２Ａを介して割込みの許可又は禁止の設定を行なう。割込調整などの受付条件に関する履歴情報は、条件蓄積部１１で集計される。このような利用履歴に関する統計情報を場所によって層別することで、利用者について場所毎に妥当な割り込み許可又は禁止の初期値を与えることができる。
【０１５５】
本実施例では、利用者が各場所を利用した履歴情報を場所毎に層別し、さらに利用者が各場所で割込み禁止を設定した回数を場所毎に層別して、利用者が割込禁止を設定した割込禁止設定率を場所毎に求める。そして、図１８や図１９に示したように、各場所において最も高い頻度で設定される割込み設定レベルをその場所における受付条件の初期値とする。図２３には、場所毎に受付条件の初期値が設定されている例を示している。
【０１５６】
さらに本実施例では、利用者の期待する受付条件に基づいて会議場所などを検索する。図２４には、利用者が携帯端末２Ｂ上で所望の受付条件を入力するための検索画面の構成例を示している。ここで、所望の受付条件として割込みの「禁止」が入力されたとする。このような場合、画面上で指定された割込みの「禁止」を検索キーとして、図２３に示したような受付条件のリストを検索した結果、初期値として「禁止」が設定されている、１１会議室、１２会議室、役員会議室、面談室が見つけ出される。図２５には、場所の検索結果を表示する画面の構成例を示している。
【０１５７】
図２６には、場所毎に受付条件の初期値が設定されている場合に、所望の場所を検索するための処理手順をフローチャートの形式で示している。
【０１５８】
この処理動作は、ユーザからの処理要求に基づきプログラムが起動される。図２４に示したような入力画面を介して入力された受付条件をキーに対象となる場所を検索する（ステップＳ５０１）。そして、図２５に示すような画面を介して、ユーザに検索結果を表示する（ステップＳ５０２）。
【０１５９】
本実施例では、利用者が場所を移動するなど実際の状況の変化に応じて過去の履歴を更新し、割込許可又は禁止設定に関する妥当な初期値を求めている。
【０１６０】
各利用者の割込みの許可又は禁止設定は、どの場所に居たかだけではなく、どのメンバと同席していたか、あるいはどのメンバとどの場所に同席していたかにも依存するので、利用履歴に関する統計情報を、メンバと場所によって層別する。具体的には、各場所で利用者が検出された回数をさらに同席するメンバで層別する。そして、場所と同席メンバとの対応関係において、割込禁止を設定した回数により、これまでに設定した割込禁止の設定率を求める。
【０１６１】
図２７には、利用者による履歴情報をメンバと場所によって層別し、利用履歴に基づいて場所毎の受付条件を変更する場合のデータ・テーブルの構成例を示している。同図に示したテーブルでは、場所と同席メンバの対応毎にセルが設けられ、セル内では、利用者の検出数と禁止設定数、禁止確率（＝禁止設定数÷検出数）、並びに禁止確率に基づいて割り当てられる割込み許可レベルが書き込まれる。そして、この割込設定率が閾値０．５以上の場合には、その場所の初期値を「禁止」に、０．５未満の場合の初期値を「許可」にすることで、禁止確率の高い方を初期値とすることができる。
【０１６２】
ここで、メンバ欄のうち「デフォルト」は、検出数及び禁止設定数はすべての値の合計で計算し（禁止確率および割込条件は同様）、検出数が０の場合（システム稼働初期）は、割込条件は例えば「許可」を初期値として使用する。この値は、利用者が、メンバ設定で「共通」を選択した場合に使用したり、各セルで、検出回数が０の場合に、初期値として使用したりする（説明のため、上記セル中、当該箇所は括弧で囲んで記載した）。
【０１６３】
利用履歴を積み重ねていくことで、利用者の過去の履歴情報を場所、予約状況、居合わせたメンバ毎に層別し、各履歴における割込禁止設定率をそれぞれ求める。そして、この設定率が０．５以上であるかどうかによって割込設定の初期値を決定することにより、妥当性の高い割込み調整を実現することができる。
【０１６４】
ところが、履歴情報を層別した結果、検出回数が０である状況（場所、予約の有無、メンバなど）では、割込み許可レベルの初期値を設定することができない。このような場合、大部分が一致する行や列が発見される場合には、その情報を用いて推測することでより精度が高い初期値を得ることができる。
【０１６５】
例えば、稼動開始時にはすべて「許可」としておいて、履歴が蓄積されることによって変更される。そして、検出回数が０となる行や列が発生した場合には、大部分が一致する行や列を検索し、発見される場合には、その情報を用いて推測する。
【０１６６】
具体的には、利用者の履歴情報を作業若しくは活動の場所及び同席するメンバ毎に層別した結果、利用履歴が検出されなかった同席メンバを含む場所については、その他のメンバについての履歴情報が類似する他の場所で同じ同席メンバに対して設定された初期値で補完するようにする。また、利用者の履歴情報を作業若しくは活動の場所及び同席するメンバ毎に層別した結果、利用履歴が検出されなかった場所を含む同席メンバについては、その他の場所についての履歴情報が類似する他の同席メンバで同じ場所に対して設定された初期値で補完するようにする。あるいは、利用履歴がなく、場所情報を抽出できない場合には、他の利用者の統計情報を利用して場所情報を抽出するようにする。
【０１６７】
ユーザは、所定のメンバと会議室で会合を行なうときに、図２３に示したように過去の履歴に基づいてあらかじめ設定された初期値を受付条件とする。ここで、利用履歴に基づいて場所毎の受付条件が変更することができるが、図２８には、この場合の処理手順をフローチャートの形式で示している。
【０１６８】
まず、場所毎の受付条件の初期値を算出する（ステップＳ５１１）。ここで、過去の利用履歴では検出数が０となる場所に対応する受付条件に、デフォルト値を初期値として設定する。
【０１６９】
次いで、メンバ名及び受付条件を検索キーとして、図２７に示したデータ・テーブル上で該当する場所を検索する（ステップＳ５１２）。
【０１７０】
図２９には、場所の検索条件を入力するための画面の構成例を示している。同図では、対象メンバと受付条件をそれぞれのリスト・ボックス中から指定することができる。ここでは、メンバとして「グループＡ」、受付条件として「禁止」が指定されている。そして、「検索」ボタンを押すことにより、場所の検索処理が起動する。
【０１７１】
次いで、場所の検索結果がユーザに提示される（ステップＳ５１３）。ここで、メンバとして「グループＡ」、受付条件として「禁止」を検索キーとして、図２７に示したデータ・テーブル上を検索すると、検索結果として「１２会議室」と「役員会議室」が抽出される。図３０には、場所の検索結果を提示するための画面構成例を示している。
【０１７２】
ここで、初期値の場所が選択された場合には（ステップＳ５１４）、当該メンバの当該場所の受付条件に、初期値の値を設定する（ステップＳ５１５）。検出数が０の箇所に対応する割込条件に、デフォルト値を初期値として設定する。
【０１７３】
図２７で示したデータ・テーブルでは、割込み許可レベルは禁止と許可の２通りだけであったが、禁止以外に、緊急、重要、通常、任意、参考という多段階の割込み許可レベルを定義することもできる。例えば、要求者が「緊急」として割り込みを要求した場合以外は受け付けないという場合が「緊急」であり、「重要」の場合は、「緊急」と「重要」の両方を受け付けるというような設定になる。
【０１７４】
図３１には、このような場合に、利用者による履歴情報を場所と設定された割込み許可レベルによって層別した例を示している。同図に示したテーブルでは、場所を検知するセンサによって検出された回数と、その中でそれぞれの割込許可レベルを設定した回数をメンバ毎に層別している。そして、各メンバについて場所毎にこれまでに設定した回数が最も大きい（すなわち最も設定頻度の高い）割込許可レベルを求め、最頻値を持つ割込み許可レベルをその場所における初期値としている。この場合、参考＝５、任意＝４、通常＝３、重要＝２、緊急＝１、禁止＝０というように値を割り当てて平均を求める方法だけではなく、最も数が多い最頻値を利用する方法がある。
【０１７５】
また、メンバ欄に記載の「デフォルト」における、検出数及び各割込条件設定数は、すべてのメンバにおける値の合計で、検出数が０の場合（システム稼働初期）は、割込条件は例えば「通常」を初期値として使用する。この値は、利用者がメンバ設定で「共通」を選択した場合に使用する場合や、各メンバの場所毎の検出数が０である場合に、初期値として使用する（説明のため、当該箇所は括弧で囲んで記載した）。
【０１７６】
図３２には、複数の割込み許可レベルが定義される場合における、場所の検索条件を入力するための画面の構成例を示している。同図では、対象メンバと受付条件をそれぞれのリスト・ボックス中から指定することができる。ここでは、メンバとして「グループＡ」、受付条件として「重要」が指定されている。
【０１７７】
この画面上では、さらに、割込み優先設定を指定するためのラジオ・ボタンが用意されている。「指定なし」のラジオ・ボタンがチェックされた場合には、指定された対象メンバと受付条件のＡＮＤ条件が検索キーとなる。また、「機密を優先する」のラジオ・ボタンがチェックされた場合には、指定された対象メンバと、指定された受付条件以上の機密レベルとなる割込み許可レベル（図示の例では、禁止、緊急、重要）のＡＮＤ条件が検索キーとなる。また、「割り込みを優先する」のラジオ・ボタンがチェックされた場合には、指定された対象メンバと、指定された受付条件以下の機密レベルとなる割込み許可レベル（図示の例では、重要、通常、任意、参考）のＡＮＤ条件が検索キーとなる。そして、「検索」ボタンを押すことにより、場所の検索処理が起動する。
【０１７８】
また、図３３には、複数の割込み許可レベルが定義される場合における、場所の検索結果を提示するための画面構成例を示している。
【０１７９】
「機密を優先する」のラジオ・ボタンがチェックされた場合には、指定された対象メンバと、指定された受付条件以上の機密レベルとなる割込み許可レベル（図示の例では、禁止、緊急、重要）のＡＮＤ条件が検索キーとなって、図３１に示したデータ・テーブルの該当メンバの列上で、検索条件を満たす割込み許可レベルを持つ場所が検索される。そして、検索結果として、該当する場所と受付条件が一覧表示される。図示の例では、検索結果は、割込条件に適合する順（この場合は、重要、緊急、禁止の順）に表示されている。また、機密優先の場合は、割込条件レベルの低いものから表示する。
【０１８０】
また、「割り込みを優先する」のラジオ・ボタンがチェックされた場合には、指定された対象メンバと、指定された受付条件以下の機密レベルとなる割込み許可レベル（図示の例では、重要、通常、任意、参考）のＡＮＤ条件が検索キーとなって、図３１に示したデータ・テーブルの該当メンバの列上で、検索条件を満たす割込み許可レベルを持つ場所が検索される。そして、検索結果として、該当する場所と受付条件が一覧表示される。図示の例では、検索結果は、割込条件に適合する順（この場合は、重要、通常、任意、参考の順）に表示されている。また、割込み優先の場合は、割込条件レベルの高いものから表示する。
【０１８１】
また、「指定なし」のラジオ・ボタンがチェックされた場合には、指定された対象メンバと受付条件のＡＮＤ条件が検索キーとなって、図３１に示したデータ・テーブルの該当メンバの列上で、検索条件を満たす割込み許可レベルを持つ場所が検索される。そして、検索結果として、該当する場所と受付条件が一覧表示される。
【０１８２】
図３４には、多段階の割込み許可レベルが定義される場合において、利用履歴に基づいて場所毎の受付条件を変更するための処理手順をフローチャートの形式で示している。
【０１８３】
まず、場所毎の受付条件の初期値を算出する（ステップＳ５２１）。ここで、過去の利用履歴では検出数が０となる場所に対応する受付条件に、デフォルト値を初期値として設定する。
【０１８４】
次いで、メンバ名及び受付条件を検索キーとして、図３１に示したデータ・テーブル上で該当する場所を検索する（ステップＳ５２２）。そして、この検索結果を、変数Ａとして確保する（ステップＳ５２３）。
【０１８５】
ここで、割込み優先設定の指定があるかどうかをチェックする（ステップＳ５２４）。
【０１８６】
割り込み優先設定の指定がない場合には、場所の検索結果がユーザに提示される（ステップＳ５３３）。検索結果の提示画面は、図３３に示した通りである。そして、初期値の場所が選択された場合には（ステップＳ５３４）、当該メンバの当該場所の受付条件に、初期値の値を設定する（ステップＳ５３５）。
【０１８７】
一方、割込み優先設定が指定されている場合には（ステップＳ５２４）、割込み許可レベルを指定するための変数Ｉに初期値０を設定する（ステップＳ５２５）。ここでは、説明の簡素化のため、割込み許可レベルの最大値Ｎ＝１とする。
【０１８８】
割り込み優先設定として「機密を優先する」が指定されている場合には（ステップＳ５２６）、検索キーの受付条件の割り込み許可レベルを１つだけ上げて（ステップＳ５２７）、図３１に示したデータ・テーブル上で該当する場所を検索する（ステップＳ５２８）。そして、この検索結果を、変数Ａに追加する（ステップＳ５２９）。
【０１８９】
また、割り込み優先設定として「割り込みを優先する」が指定されている場合には（ステップＳ５２６）、検索キーの受付条件の割り込み許可レベルを１つだけ下げて（ステップＳ５３２）、図３１に示したデータ・テーブル上で該当する場所を検索する（ステップＳ５２８）。そして、この検索結果を、変数Ａに追加する（ステップＳ５２９）。
【０１９０】
そして、Ｉを１だけ増分し（ステップＳ５３１）、ＩがＮに到達しない間、すなわち未処理の割込み許可レベルについての場所検索を繰り返し実行する（ステップＳ５３２）。
【０１９１】
該当するすべての割込み許可レベルについての場所検索を終えたら、場所の検索結果がユーザに提示される（ステップＳ５３３）。検索結果の提示画面は、図３３に示した通りである。そして、初期値の場所が選択された場合には（ステップＳ５３４）、当該メンバの当該場所の受付条件に、初期値の値を設定する（ステップＳ５３５）。
【０１９２】
図３５には、複数の割込み許可レベルが定義される場合における、場所の検索条件を入力するための画面についての他の構成例を示している。同図では、対象メンバと受付条件をそれぞれのリスト・ボックス中から指定することができる。図３２に示した例では、割り込み優先設定により、指定した割込み許可レベル以上又はそれ以下の割り込み許可レベルを指定することができる。これに対し、図３５に示した例では、リスト・ボックス内で割込み許可レベルの上限と下限とを範囲指定することができる。
【０１９３】
また、図３６には、図３５に示した場所検索画面で入力された検索条件を基に場所検索された結果の提示画面の構成例を示している。この場合、複数の段階にまたがって範囲指定された各割込み許可レベルが検索対象となる。同図に示す例では、割込条件に適合する順に表示（この例ではレベルの低いものから順に表示）されている。
【産業上の利用可能性】
【０１９４】
以上、特定の実施形態を参照しながら、本発明について詳解してきた。しかしながら、本発明の要旨を逸脱しない範囲で当業者が該実施形態の修正や代用を成し得ることは自明である。
【０１９５】
本明細書では、電話や携帯電話、電子メールなどのコミュニケーション手段を所持する要求者と被要求者間でのコミュニケーションによる割り込みを調整するという実施形態を中心に説明してきたが、本発明の要旨はこれに限定されるものではない。これらコミュニケーション手段以外を利用したサービスを用いて被要求者に割り込みを行なう場合であっても、本発明を適用することで、被要求者の状況の変化に応じて、妥当なサービスを選択し、且つ選択されたサービスを実行するための妥当な時期を決定するとともに、利用者の期待する割込条件あるいは近似条件に基づいて会議場所などを検索することができる。
【０１９６】
要するに、例示という形態で本発明を開示してきたのであり、本明細書の記載内容を限定的に解釈するべきではない。本発明の要旨を判断するためには、特許請求の範囲を参酌すべきである。
【図面の簡単な説明】
【０１９７】
【図１】図１は、本発明の一実施形態に係る割込調整装置の機能的な構成を模式的に示した図である。
【図２】図２は、割込調整システムの構成例を示した図である。
【図３】図３は、本発明の実施例１における割込調整装置の機能的な構成を示した図である。
【図４】図４は、要求条件入力部１０２が提供する、割り込みを要求する要求者からの要求条件の入力を受け付ける入力画面の構成例を示した図である。
【図５】図５は、受付条件入力部１０３が提供する、被要求者となる可能性のある利用者全般からの受付条件の入力を受け付ける入力画面の構成例を示した図である。
【図６】図６は、サービス選択部１０５における動作手順を示したフローチャートである。
【図７】図７は、サービス選択部１０５における動作手順を示したフローチャートである。
【図８】図８は、優先度とサービス間の対応関係の設定例を示した図である。
【図９】図９は、本発明の実施例２に係る割込調整装置の機能的な構成を示した図である。
【図１０】図１０は、サービス選択部２０５の動作手順を示したフローチャートである。
【図１１】図１１は、被要求者の状況と要求者が指定する優先度に対応するサービスを設定したテーブルを示した図である。
【図１２】図１２は、本発明の実施例３に係る割込調整装置の機能的な構成を示した図である。
【図１３】図１３は、受付条件入力部３０３が提供する、被要求者となる可能性のある利用者全般からの受付条件の入力を受け付ける入力画面の構成例を示した図である。
【図１４】図１４は、サービス選択部３０６における動作手順を示したフローチャートである。
【図１５】図１５は、本発明の実施例４に係る割込調整装置の機能的な構成を示した図である。
【図１６】図１６は、被要求者の状況変化によりサービス選択のための条件の設定・解除を行なう一例を示した図である。
【図１７】図１７は、被要求者の状況変化によりサービス選択のための条件の設定・解除を行なう他の例を示した図である。
【図１８】図１８は、利用者による履歴情報を場所によって層別した例を示した図である。
【図１９】図１９は、利用者による履歴情報を場所によって層別した他の例を示した図である。
【図２０】図２０は、受付条件を状況変化により自動変更するための処理手順を示したフローチャートである。
【図２１】図２１は、受付条件履歴の例を示した図である。
【図２２】図２２は、受付条件をユーザが変更する場合の受付条件を変更するための処理手順を示したフローチャートである。
【図２３】図２３は、場所毎に受付条件の初期値が設定されている例を示した図である。
【図２４】図２４は、利用者が所望の受付条件を入力するための検索画面の構成例を示した図である。
【図２５】図２５は、場所の検索結果を表示する画面の構成例を示した図である。
【図２６】図２６は、場所毎に受付条件の初期値が設定されている場合に、所望の場所を検索するための処理手順を示したフローチャートである。
【図２７】図２７は、利用者による履歴情報をメンバと場所によって層別し、利用履歴に基づいて場所毎の受付条件を変更する場合のデータ・テーブルの構成例を示した図である。
【図２８】図２８は、利用履歴に基づき場所毎の割込み条件が変更する場合の処理手順を示したフローチャートである。
【図２９】図２９は、場所の検索条件を入力するための画面の構成例を示した図である。
【図３０】図３０は、場所の検索結果を提示するための画面構成例を示した図である。
【図３１】図３１は、複数の割込み許可レベルが定義される場合に、利用者による履歴情報を場所と設定された割込み許可レベルによって層別したデータ・テーブルの例を示した図である。
【図３２】図３２は、複数の割込み許可レベルが定義される場合における、場所の検索条件を入力するための画面の構成例を示した図である。
【図３３】図３３は、複数の割込み許可レベルが定義される場合における、場所の検索結果を提示するための画面構成例を示した図である。
【図３４】図３４は、多段階の割込み許可レベルが定義される場合において、利用履歴に基づいて場所毎の受付条件を変更するための処理手順を示したフローチャートである。
【図３５】図３５は、複数の割込み許可レベルが定義される場合における、場所の検索条件を入力するための画面についての他の構成例を示した図である。
【図３６】図３６は、図３５に示した場所検索画面で入力された検索条件を基に場所検索された結果の提示画面の構成例を示した図である。
【符号の説明】
【０１９８】
１…割込調整装置
２Ａ…情報端末
２Ｂ…情報端末
３…状況検出装置
５…ネットワーク
６…場所
７…場所
１１…条件蓄積部
１２…状況蓄積部
１３…サービス選択部
１４…サービス実行部
２１…ＰＣ
２２…携帯電話
２３…ＦＡＸ
２４…ＰＣ
２５…電子掲示板
２６…携帯電話
２７…ＰＤＡ
３１…センサ
３２…カメラ
３３…センサ
１０１…割込調整装置
１０２…要求条件入力部
１０３…受付条件入力部
１０４…情報蓄積部
１０５…サービス選択部
１０６…サービス実行部
２０１…割込調整装置
２０２…要求条件入力部
２０３…状況情報取得部
２０４…情報蓄積部
２０５…サービス選択部
２０６…サービス実行部
３０１…割込調整装置
３０２…要求条件入力部
３０３…受付条件入力部
３０４…状況情報取得部
３０５…情報蓄積部
３０６…サービス選択部
３０７…サービス実行部 
４０１…割込調整装置
４０２…要求条件入力部
４０３…受付条件入力部
４０４…状況情報検出部
４０５…情報蓄積部
４０６…サービス選択部
４０７…サービス実行部 
【図１】
2006085320.tif 000003
【図２】
2006085320.tif 000004
【図３】
2006085320.tif 000005
【図４】
2006085320.tif 000006
【図５】
2006085320.tif 000007
【図６】
2006085320.tif 000008
【図７】
2006085320.tif 000009
【図８】
2006085320.tif 000010
【図９】
2006085320.tif 000011
【図１０】
2006085320.tif 000012
【図１１】
2006085320.tif 000013
【図１２】
2006085320.tif 000014
【図１３】
2006085320.tif 000015
【図１４】
2006085320.tif 000016
【図１５】
2006085320.tif 000017
【図１６】
2006085320.tif 000018
【図１７】
2006085320.tif 000019
【図１８】
2006085320.tif 000020
【図１９】
2006085320.tif 000021
【図２０】
2006085320.tif 000022
【図２１】
2006085320.tif 000023
【図２２】
2006085320.tif 000024
【図２３】
2006085320.tif 000025
【図２４】
2006085320.tif 000026
【図２５】
2006085320.tif 000027
【図２６】
2006085320.tif 000028
【図２７】
2006085320.tif 000029
【図２８】
2006085320.tif 000030
【図２９】
2006085320.tif 000031
【図３０】
2006085320.tif 000032
【図３１】
2006085320.tif 000033
【図３２】
2006085320.tif 000034
【図３３】
2006085320.tif 000035
【図３４】
2006085320.tif 000036
【図３５】
2006085320.tif 000037
【図３６】
2006085320.tif 000038